(57)【要約】【課題】天井パネルの取付け作業を楽にできる天井パネルの固定構造の提供。【解決手段】複数のポスト１０に取付けられて対面する両側の壁パネル３０、３０の上端に天井パネル４０が載置され、複数のポスト１０の頂部どうしを連結して対面する両側のつなぎ材２０、２０に、天井パネル４０の両側の縁部が当接しており、天井パネル４０の両側の各側縁に、下向きに突出する連結部材５０が取付けられ、各連結部材５０が壁パネル３０とつなぎ材２０との間の隙間Ｓに上方から嵌入して壁パネル３０の裏面側（室外Ｏ側）に当接し、壁パネル３０がパネル表面側（室内Ｉ側）から押圧されたときの押圧力を天井パネル４０へ伝達させるようにしたこと。【選択図】図１
2008069529.tif 000002
【特許請求の範囲】
【請求項１】
複数のポストに取付けられて対面する両側の壁パネルの上端に天井パネルが載置され、複数のポストの頂部どうしを連結して対面する両側のつなぎ材に、天井パネルの両側の縁部が当接した天井パネルの固定構造において、前記天井パネルの両側の各側縁に、下向きに突出する連結部材が取付けられ、該連結部材が前記壁パネルと前記つなぎ材との間の隙間に上方から嵌入して前記壁パネルの裏面側に当接したことを特徴とする天井パネルの固定構造。
【請求項２】
前記連結部材は、前記隙間に上方から嵌入したときに、前記つなぎ材及び前記壁パネルのいずれか一方に係合して上方への抜出を阻止する係合部が設けられている請求項１記載の天井パネルの固定構造。
【発明の詳細な説明】
【技術分野】
【０００１】
本発明は、複数のポストに取付けられて対面する両側の壁パネルの上端に天井パネルが載置され、複数のポストの頂部どうしを連結して対面する両側のつなぎ材に、天井パネルの両側の縁部が当接した天井パネルの固定構造に関する。
【背景技術】
【０００２】
従来の天井パネルの固定構造は、非特許文献１や特許文献１に記載されたものがある。
【非特許文献１】「システムバスルーム  びゅーばす  壁・天井・ドア（Ｌパネル用）施工説明書」株式会社ＩＮＡＸ、２００１年４月版、ｐ８−１３、２３−２５
【特許文献１】特開２００５−３３６７８９号公報
【０００３】
図６及び図７は、非特許文献１に記載された天井パネルの従来固定構造を示す図である。図６（Ａ）は従来固定構造の組立途中の状態を示す分解斜視図であり、図６（Ｂ）は従来固定構造の主要部を破断して示した平面図である。図７（Ａ）は従来固定構造の主要部の組立途中の状態を示した分解斜視図であり、図７（Ｂ）は従来固定構造の主要部を拡大した正面断面図である。非特許文献１に記載された従来固定構造は、防水パン１０１（図６（Ａ）参照）に立設した複数のポスト１１０に取付けられて対面する両側の壁パネル１３０（図７（Ｂ）参照）の上端に、天井パネル１４０が載置され、複数のポスト１１０の頂部どうしを連結するつなぎ材１２０に天井パネル１４０の両側の縁部が当接したものである。前記固定構造は、壁パネル１３０の上端側とつなぎ材１２０とが壁パネル固定具１５０を介して連結されており、壁パネル１３０と天井パネル１４０との内隅がコーキング材等でシール１６０されている。
【０００４】
前記天井パネルの固定構造において、天井パネル１４０を壁パネル１３０に単に載置しただけでは、壁パネル１３０の表面側（室内Ｉ側）から人が当たるなどして壁パネル１３０が押圧されると、壁パネル１３０から壁パネル固定具１５０を介して伝達した押圧力でつなぎ材１２０が撓み変形し、壁パネル１３０が天井パネル１４０に対して位置ズレして、シール１６０が切れるという不具合を生じる。そこで、対向する両側のつなぎ材１２０に天井パネル１４０の両側をビス１７０で連結することで、一方の壁パネル１３０が押圧されたときの押圧力を、天井パネル１４０を介して他方のつなぎ材１２０へ分散して伝達させることで、つなぎ材１２０の撓み変形を小さくし、上記不具合を解消していた。
【０００５】
前記天井パネルの固定構造は、次の（１）〜（６）の順番で組み立てられる。（１）先ず、図６（Ａ）に示す如く、複数のポスト１１０を防水パンに立設した後、各ポスト１１０の頂部どうしをビス等（図示省略）を用いてつなぎ材１２０で連結する。（２）次に、つなぎ材１２０に、室内Ｉ側へ突出する壁パネル固定具１５０を設ける。（３）続いて、壁パネル固定具１５０の係合溝１５０ａ（図７（Ｂ）参照）に壁パネル１３０の上縁側の折曲部１３０ａを嵌入して、つなぎ材１２０に壁パネル固定具１５０を介して壁パネル１３０を固定し、室内Ｉの周りに壁パネル１３０を立設していく。（４）そして、壁パネル１３０の上端に天井パネル１４０を載置する。（５）天井パネル１４０を載置したら、図７（Ａ）に示す如く、天井パネル１４０をつなぎ材１２０にビス１７０で連結する。（６）最後に、壁パネル１３０と天井パネル１４０との内隅をコーキング材等でシール１６０（図７（Ｂ）参照）して、組立を完了する。
【０００６】
一方、特許文献１に記載された固定構造は、前記従来の天井パネルの固定構造と同様に、防水パンに立設されたポストの上端側どうしを連結するつなぎ材と天井パネルの縁部とをビス止めしたものである。
【発明の開示】
【発明が解決しようとする課題】
【０００７】
しかし、非特許文献１及び特許文献１に記載された天井パネルの固定構造は、ビス止め（非特許文献１においては組立手順（５））をするにあたって、施工者が天井パネル（非特許文献１においては天井パネル１４０）の裏の狭い空間に点検口（非特許文献１においては点検口１４０ａ）から身を乗り出す必要があるため、作業性が悪かった。
【０００８】
本発明は、上記課題を解決するために、天井パネルの取付け作業を楽にできる天井パネルの固定構造の提供を目的とする。
【課題を解決するための手段】
【０００９】
上記問題を解決するために請求項１記載の本発明が採用した手段は、複数のポストに取付けられて対面する両側の壁パネルの上端に天井パネルが載置され、複数のポストの頂部どうしを連結して対面する両側のつなぎ材に、天井パネルの両側の縁部が当接した天井パネルの固定構造において、前記天井パネルの両側の各側縁に、下向きに突出する連結部材が取付けられ、該連結部材が前記壁パネルと前記つなぎ材との間の隙間に上方から嵌入して前記壁パネルの裏面側に当接したことを特徴とする天井パネルの固定構造である。
【００１０】
天井パネルの浮き上がりを防止するために請求項２記載の本発明が採用した手段は、前記連結部材は、前記隙間に上方から嵌入したときに、前記つなぎ材及び前記壁パネルのいずれか一方に係合して上方への抜出を阻止する係合部が設けられている請求項１記載の天井パネルの固定構造である。
【発明の効果】
【００１１】
請求項１記載の本発明に係る天井パネルの固定構造は、両側の壁パネルとつなぎ材の間に形成される両側の隙間の各々に、天井パネルの両側に取付けられている各連結部材を上方から嵌入することで、両側のつなぎ材に天井パネルの縁部が当接すると共に、両側の壁パネルの裏面側に連結部材が当接して、両側の壁パネル及びつなぎ材に天井パネルの両側が連結される。このように、両側の隙間に連結部材を上方から嵌入する簡単な作業で、両側の壁パネル及びつなぎ材に天井パネルの両側を連結できるので、従来の作業である点検口を利用して行う天井裏でのビス止め作業が不要となり、天井パネルの取付け作業を楽にすることができる。また、壁パネルがパネル表面側から押圧されたときの押圧力を天井パネルへ伝達させることができる。
【００１２】
請求項２記載の本発明に係る天井パネルの固定構造は、つなぎ材及び壁パネルのいずれか一方に連結部材の係合部が係合して上方への抜出を阻止するので、天井パネルの浮き上がりを確実に防止することができる。
【発明を実施するための最良の形態】
【００１３】
本発明に係る天井パネルの固定構造（以下、「本発明固定構造」という。）を実施の形態を示す図面に基いて説明する。
【００１４】
（第１の実施の形態）
図１乃至図４は、本発明固定構造の第１の実施の形態を示すものである。図１は本発明固定構造の主要部を拡大した正面断面図である。図１の図中左側及び図中右側は左右対称であり、図中左側に示す部材と図中右側に示す部材とは同一部材である。図２は本発明固定構造に用いる連結部材を示す斜視図である。図３（Ａ）は本発明固定構造の組立途中の状態を示す分解斜視図であり、図３（Ｂ）は本発明固定構造の主要部を破断して示した平面図である。図４は本発明固定構造の主要部を分解したものであり、天井パネルが壁パネルに載置される前の組立途中状態を示す正面断面図である。図３（Ａ）に示す部材は図６（Ａ）に示す部材と略同一である。
【００１５】
本発明固定構造は、複数のポスト１０に取付けられて対面する左右及び前後両側の壁パネル３０、３０の上端に天井パネル４０が載置され、複数のポスト１０の頂部（上端側）どうしを連結して対面する左右及び前後両側のつなぎ材２０、２０に、天井パネル４０の左右及び前後両側の縁部が当接したものである。本発明固定構造は、天井パネル４０の左右及び前後両側の各側縁に、下向きに突出する連結部材５０が取付けられ、各連結部材５０が壁パネル３０とつなぎ材２０との間の隙間Ｓ（図４参照）に上方から嵌入して壁パネル３０の裏面側（室外Ｏ側）に当接し、壁パネル３０がパネル表面側（室内Ｉ側）から押圧されたときの押圧力を天井パネル４０へ伝達させている。なお、上述では、連結部材を左右及び前後両側に設けた例を記載したが、左右両側だけ若しくは前後両側だけに設けてもよく、上に記載した「左右及び前後両側」という文言は、「左右両側」又は「前後両側」に置き換えても成り立つ。本発明固定構造は、本例では浴室等のユニットルームに適用されている。
【００１６】
前記複数のポスト１０は、図３（Ａ）に示す如く、前記ユニットルームの下方に設置される方形状の防水パン１の周縁に立設されている。前記ポスト１０は、防水パン１の隅角に立設されるコーナーポスト１１と、コーナーポスト１１どうしの間に立設される中間ポスト１２とで構成される。コーナーポスト１０は、本例ではリップ山形鋼が採用されており、図３（Ａ）に示す如く、上下全長に亘るスリット１１ａが室内Ｉ側を向くように配置されている。中間ポスト１２は、本例ではリップ溝形鋼が採用されており、上下全長に亘るスリット１２ａが室内Ｉ側を向くように配置されている。
【００１７】
前記つなぎ材２０は、本例では、ウェブ板２０ａとフランジ２０ｂとを備える溝形鋼が採用されている。図３（Ａ）に示す如く、つなぎ材２０は、該ウェブ板２０ａの両側縁部がコーナーポスト１１の室外Ｏ側の側面１１ｂの頂部にビス等で連結されると共に、該ウェブ板２０ａの中央部が中間ポスト１２の室外Ｏ側の側面１２ｂの頂部にビス等で連結されており、ユニットルームの天井側の４側方に配置されている。
【００１８】
前記壁パネル３０は、図１に示す如く、室内Ｉ側に配置される方形状の鋼板３１と、該鋼板３１の裏面に設けた石膏ボード等から成る裏打材３２とで構成されている。鋼板３１は、主板部３１ａと、図３（Ｂ）に示す如く、該主板部３１ａの両側辺から裏面側へ直角に突出する折曲部３１ｂと、図４に示す如く、該主板部３１ａの上辺から裏面側へ直角に突出する折曲部３１ｃと、該折曲部３１ｃから下方へ直角に突出する折曲部３１ｄとから成る。壁パネル３０は、その両側縁部の折曲部３１ｂを前記コーナーポスト１１のスリット１１ａや中間ポストのスリット１２ａに係合嵌入させることで、ポスト１０どうしの間に取付けられて、室内Ｉの４側方を囲繞する。壁パネル３０は、前記つなぎ材２０から離れて室内Ｉ側に配置されるので、壁パネル３０とつなぎ材２０との間に上方が開口した隙間Ｓ（図４参照）が形成される。なお、本発明固定構造は、壁パネル３０とつなぎ材２０との間に、従来例で述べた壁パネル固定金具１５０（図３（Ｂ）参照）を適宜箇所に設けて、壁パネル３０が室内Ｉ側に引っ張られたときに壁パネル３０が撓み変形するのを防いでいる。
【００１９】
前記天井パネル４０は、図１に示す如く、室内Ｉ側に配置される方形状の鋼板４１と、該鋼板４１の裏面に設けた石膏ボード等から成る裏打材４２とで構成されている。鋼板４１は、主板部４１ａと、主板部４１ａの縁辺から裏面側へ直角に突出する折曲部４１ｂとからなる。天井パネル４０は、その主板部４１ａの縁側に、前記連結部材５０を取付けるためのネジ挿通孔（図示省略）が適宜箇所に形成される。本例の天井パネル４０は、図３（Ｂ）に示す如く、分割パネル４３と、点検口４４ｂが形成された分割パネル４４との２枚からなる。分割パネル４３の側縁４３ａと分割パネル４４の側縁４４ａとはビス止め等で連結されている。天井パネル４０は、上記以外に、図示は省略するが、点検口が形成された１枚のパネルで構成することがある。
【００２０】
前記連結部材５０は、図２に示す如く、水平板部５５及び該水平板部５５の一方の端部５５ａから上方垂直に突出したつなぎ材当接部５３からなる取付部５１と、該水平板部５５の他方の端部５５ｂから下方垂直に突出した壁パネル当接部５２と、該壁パネル当接部５２の下端から一方且つ上方へ向かって突出した係合部５４とを備える。連結部材５０は、本例では、図３（Ｂ）に示す如く、天井パネル４０の側縁に適宜間隔で取付けられる複数個の短片ピースで構成されているが、水平に長く延びた長尺レール状にする態様（図示省略）も有る。本例の連結部材５０は、剛性が高く加工し易い金属製又は樹脂製としてある。
【００２１】
前記連結部材５０は、水平板部５５の中央に螺着用孔５５ｃ（図２参照）が形成されている。該螺着用孔５５ｃには天井パネル４０の前記ネジ挿通孔に差し込まれたネジ４５（タッピングビス）が螺着され、これにより、水平板部５５の上面と天井パネル４０の底面とが当接した状態で連結部材５０と天井パネル４０とが連結される。該ネジ４５による連結構造以外には、図示は省略するが、取付部５１と天井パネル４０との間に係合部を設けて連結する構造を採用することもある。本発明では、天井パネル４０に連結部材５０をネジ４５で連結する構造となっているので、先ず、天井パネル４０に連結部材５０を取付けない状態で組立現場に搬入し、その後に、組立現場で連結部材５０を取付ける組立方法を採用できるので、搬入が楽である。勿論、天井パネル４０は、連結部材５０を予め取付けて、現場へ搬入することも可能である。
【００２２】
前記連結部材５０は、図１に示す如く、予め取付部５１が天井パネル４０の側縁にネジ４５で取付けられ、隙間Ｓに嵌入されて配置されたときに、壁パネル当接部５２が隙間Ｓの室内Ｉ寄りに配置され壁パネル３０の裏面側（室外Ｏ側）に当接し、更に、つなぎ材当接部５３が隙間Ｓの室外Ｏ寄りに配置されつなぎ材２０に当接し、係合部５４がつなぎ材２０に係合する。
【００２３】
前記連結部材５０は、隙間Ｓに嵌入配置されたとき、壁パネル当接部５２の他方の側面５２ａが壁パネル３０の上方の折曲部３１ｄに当接し、つなぎ材当接部５３の一方の側面５３ａがつなぎ材２０のウェブ板２０ａに当接する。
【００２４】
前記連結部材５０は、隙間Ｓへ嵌入配置されたときに、係合部５４の一方上端５４ａがつなぎ材２０の下端側のフランジ２０ｂに下方から当接するように設定されており、天井パネル４０の浮き上がりを確実に防止することができる。該係合部５４は、その水平幅（一方上端５４ａから他方下端５４ｂまでの水平方向の距離）が隙間Ｓの水平幅よりも長く設定されている。連結部材５０は、金属又は樹脂の弾性素材から成形され、隙間Ｓに嵌入するときに適宜に弾性変形して該係合部５４の水平幅を小さくできるようにしてある。又、係合部５４は一方且つ上方へ向かって突出した形状であり、連結部材５０を上方から隙間Ｓへ嵌入する際に弾性変形させ易く、且つ、嵌入後の連結部材５０を隙間Ｓから上方へ引抜きにくい。
【００２５】
本発明固定構造は、図１において、例えば左側の壁パネル３０を左側へ向けてパネル表面側（室内Ｉ側）から押圧すると、この押圧に抗して左側のつなぎ材２０が連結部材５０の壁パネル当接部５２を介して左側の壁パネル３０を支持するので、左側の壁パネル３０の上端側が撓み変形しにくい。又、本発明固定構造は、上記条件において、例えば強い力で押圧されて、左側のつなぎ材２０が左側の壁パネル３０の上端側と共に撓み変形したとしても、該撓み変形ぶんだけ天井パネル４０も左側に移動し、又、右側の連結部材５０の壁パネル当接部５２に押圧される右側の壁パネル３０の上端側も同量だけ左側に撓み変形するので、天井パネル４０と左右両側の壁パネル３０との間では位置ズレが全く生じない。したがって、本発明固定構造は、天井パネル４０と左右両側の壁パネル３０との間に設けた内隅のシール６０が切れるのを確実に阻止できる。上記説明では図１に矢付した左側の壁パネル３０を室内Ｉから押圧した例を挙げたが、勿論、本発明固定構造は、それ以外に、右側、前側、後側の壁パネル３０を室内Ｉ側から押圧する場合でも、対応する両側の内隅のシール６０が切れるのを確実に阻止できる。
【００２６】
又、本発明固定構造は、連結部材５０に壁パネル当接部５２とつなぎ材当接部５３とが設けられているので、壁パネル３０をパネル表面側（室内Ｉ側）から押圧したときにつなぎ材２０に伝達される押圧力は、全て連結部材５０を経由する。したがって、本発明固定構造は、壁パネル３０をパネル表面側（室内Ｉ側）から押圧したときに、つなぎ材２０と天井パネル４０との間で直接、押圧力が伝達されないので、強度的に弱い天井パネル４０の縁側（例えば、折曲部４１ｂ等）を変形させる恐れが少ない。
【００２７】
又、本発明固定構造は、前記連結部材５０におけるつなぎ材当接部５３の他方の側面５３ｂから水平板部５５の螺着用孔５５ｃまでの距離と、天井パネル４０における折曲部４１ｂからネジ挿通孔までの距離とが略同一である。したがって、本発明固定構造は、ネジ止めすればつなぎ材当接部５３の他方の側面５３ｂと天井パネル４０の折曲部４１ｂとが当接した状態で連結できるから、天井パネル４０と連結部材５０との間における水平方向の力の伝達が、ネジ４５以外にも分散されて、つなぎ材当接部５３の他方の側面５３ｂと天井パネル４０の折曲部４１ｂとの当接部分でもなされるので、これにより、ネジ４５を緩ませるような過度の力がネジ４５にかかるのを防止できる。
【００２８】
又、本発明固定構造は、つなぎ材２０に係合部５４が係合して上方への抜出を阻止するので、天井パネル４０の浮き上がりを確実に防止することができる。又、本発明固定構造は、係合部５４をつなぎ材２０だけに係合させているので、係合部５４をつなぎ材２０と壁パネル３０との両方に係合させる場合に比べて連結部材５０を隙間に嵌入しやすい。
【００２９】
なお、本発明固定構造は、連結部材５０の壁パネル当接部５２からつなぎ材当接部５３までの水平幅を隙間Ｓの水平幅と略同一又は若干大きくすることで、連結部材５０を隙間Ｓにしまりばめ状態で嵌入して、天井パネル４０を抜けにくくする場合もある。この場合は、上述した係合部５４を省略すれば、係合部５４が無い分、連結部材５０の構造を簡単にでき、係合部５４を隙間Ｓに嵌入する作業を省略できる。
【００３０】
勿論、前記連結部材５０の形状や材質等は、上記態様に限らず、例えば樹脂製や木製等の四角柱材を採用する態様もある。この態様にあっては、四角柱材の４側面のうち、一つの側面を天井パネル４０に取付け、当該側面の隣りの側面を壁パネル３０裏面側に当接させればよい。
【００３１】
本発明固定構造は、下記（１）〜（５）の工程で組み立てられる。
（１）第１工程（準備工程）：先ず、前述の如く、連結部材５０を天井パネル４０（分割パネル４３及び４４）にネジ４５で取付けて、連結部材５０を天井パネル４０の下方に突出した状態にする。
【００３２】
（２）第２工程（ポスト１０の立設工程）：次に、前述の如く、ポスト１０を防水パンに立設した後（図３（Ａ）参照）、各ポスト１０の頂部どうしをつなぎ材２０で連結する。
【００３３】
（３）第３工程（壁パネル３０立設工程）：続いて、前述の如く、壁パネル３０の折曲部３１ｂを前記ポスト１０のスリット１１ａ及び１２ａに係合嵌入させて（図３（Ｂ）参照）、ポスト１０どうしの間に壁パネル３０を立設し、室内の４側方を囲繞する。
【００３４】
（４）第４工程（天井パネル４０の嵌込み工程）：続いて、図４に示す如く、天井パネルを構成する前記分割パネル４３及び４４のうち、先ずどちらか一枚を、一旦、室内Ｉよりも上方へ持上げた後、これに吸盤付き工具等（図示省略）をくっつけ、この吸盤付き工具を下方から引っ張る等して、四方を囲むつなぎ材２０の間へ嵌め込んでいく。この際、連結部材５０は、係合部５４の一方上端５４ａがつなぎ材２０のウェブ板２０ａに摺動案内され、連結部材５０が壁パネル３０側（室内Ｉ側）へ押されて弾性変形した状態で周囲の隙間Ｓに嵌入されていく。該嵌入が進んで係合部５４の一方上端５４ａがつなぎ材２０のウェブ板２０ａよりも下方に位置するようになると、前記弾性変形が解除されて元の形に戻り、係合部５４の一方上端５４ａがつなぎ材２０の下端側のフランジ２０ｂに下方から当接すると共に、係合部５４の水平幅が隙間Ｓの水平幅よりも長い状態となる。立設した壁パネル３０の上端の折曲部３１ｃに天井パネル４０が載置されたら、嵌め込みを止める。その後、分割パネル４３及び４４のうち残った方を、同手順で嵌め込んだ後、点検口４４ａから分割パネル４４の裏面側に身を乗りだして、分割パネル４３の側縁４３ａと分割パネル４４の側縁４４ａとを連結する。
【００３５】
（５）第５工程（シール工程）：分割パネル４３、４４を連結したら、最後に、壁パネル３０と天井パネル４０との４方の内隅をコーキング材等でシール６０して、組立を完了する。
【００３６】
本発明固定構造は、前述の第４工程に示す如く、両側の壁パネル３０とつなぎ材２０の間に形成される両側の隙間Ｓの各々に、天井パネル４０の両側に取付けられている各連結部材５０を上方から嵌入することで、両側のつなぎ材２０に天井パネル４０の縁部が当接すると共に、両側の壁パネル３０の裏面側に連結部材５０が当接して、両側の壁パネル３０及びつなぎ材２０に天井パネル４０の両側が連結される。又、このように、両側の隙間Ｓに連結部材５０を上方から嵌入する簡単な作業（前述の第４工程）で、両側の壁パネル３０及びつなぎ材２０に天井パネル４０の両側を連結できるので、従来の作業である点検口を利用して行う天井裏でのビス止め作業が不要となり、天井パネル４０の取付け作業を楽にすることができる。又、本発明固定構造は、壁パネル３０と天井パネル４０との内隅をコーキング材等でシール６０して目隠しするので、コストが安い。
【００３７】
（第２の実施の形態）
図５は、本発明固定構造の第２の実施の形態を示すものであって、（Ａ）及び（Ｂ）は、それぞれ別態様の主要部を拡大した正面断面図である。本実施の形態の本発明固定構造が、第１の実施の形態の固定構造と相違する点は、連結部材７０が、隙間Ｓに配置されたときに、つなぎ材２０ではなく、壁パネル３０に係合する係合部７１を備える点にある。これにより、本発明固定構造は、壁パネル３０に係合部７１が係合して上方への抜出を阻止するので、天井パネル４０の浮き上がりを確実に防止することができる。
【００３８】
本例の連結部材７０は、図５（Ａ）及び（Ｂ）に示す如く、壁パネル当接部５２に設けられ他方に膨出した係合部７１とから成る形状である。前記係合部７１は、本例では、その上端が壁パネル３０の折曲部３１ｄの下端に当接している。該係合部７１は、連結部材７０の嵌入方向に対して傾斜した傾斜面７１ａを有する形状であるから、本発明固定構造は、連結部材７０を上方から隙間Ｓへ嵌入する途中で撓ませて変形し易い。
【００３９】
なお、図５（Ａ）に示す如く、つなぎ材当接部５３の上端から他方に直角に突出した上片９１と、壁パネル当接部５２の下端から一方に直角に突出した下片９２とを設けても、図５（Ｂ）に示す如く、上片及び下片を省略してもよい。
【００４０】
本例の連結部材７０は、図５（Ａ）に示す如く、ネジ８１を下向きにして螺着するタイプと、図５（Ｂ）に示す如く、ネジ８２を上向きにして螺着するタイプとがある。前者のタイプは、水平板部５５の中央に螺着用孔（図示省略）が形成され、これに対応するネジ挿通孔（図示省略）が天井パネル４０に形成される。一方、後者のタイプは、水平板部５５の中央にネジ挿通孔（図示省略）が形成され、これに対応する螺着用孔（図示省略）が天井パネル４０に形成される。
【００４１】
上記相違点以外の構成は、第１の実施の形態のおける本発明固定構造と実質的に同一であり、図５に示す符号のうち、図１〜図４（第１の実施の形態）と同一のものは、同一の構成部材を示す。
【図面の簡単な説明】
【００４２】
【図１】本発明固定構造の第１の実施の形態を示すものであって、本発明固定構造の主要部を拡大した正面断面図である。
【図２】同実施の形態において、本発明固定構造に用いる連結部材を示す斜視図である。
【図３】同実施の形態において、（Ａ）は本発明固定構造の組立途中の状態を示す分解斜視図であり、（Ｂ）は本発明固定構造の主要部を破断して示した平面図である。
【図４】同実施の形態において、本発明固定構造の主要部を分解したものであり、天井パネルが壁パネルに載置される前の組立途中状態を示す正面断面図である。
【図５】本発明固定構造の第２の実施の形態を示すものであって、（Ａ）及び（Ｂ）は、それぞれ別態様の主要部を拡大した正面断面図である。
【図６】従来の天井パネルの固定構造を示すものであって、（Ａ）は従来固定構造の主要部の組立途中の状態を示す分解斜視図であり、図６（Ｂ）は従来固定構造の主要部を破断して示した平面図である。
【図７】従来の天井パネルの固定構造を示すものであって、（Ａ）は従来固定構造の主要部を分解して組立途中の状態を示した分解斜視図であり、（Ｂ）は従来固定構造の主要部を拡大した正面断面図である。
【符号の説明】
【００４３】
１０…ポスト  ２０…つなぎ材  ３０…壁パネル  ４０…天井パネル  ５０…連結部材  
Ｓ…隙間
【図１】
2008069529.tif 000003
【図２】
2008069529.tif 000004
【図３】
2008069529.tif 000005
【図４】
2008069529.tif 000006
【図５】
2008069529.tif 000007
【図６】
2008069529.tif 000008
【図７】
2008069529.tif 000009